(57)【特許請求の範囲】
【請求項１】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と
を具備し、
上記決定手段は、上記記録制御手段が画像データに付加する複数の属性情報の１つに上記画像データの感度が含まれる場合に、所定の感度以上の画像データに対して空間周波数の高周波成分の除去を削減処理として選択することを特徴とする撮像装置。
【請求項２】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と、
上記記録制御手段が画像データに属性情報として付加する上記順位情報または削減情報を変更する変更手段と
を具備し、
上記記録制御手段は、撮影時の状況に応じた複数の属性情報に加えて、上記決定手段で決定する順位を示す順位情報、または削減処理の種類を示す削減情報を属性情報として画像データに付加して記録し、
上記記録制御手段が画像データに属性情報として付加する上記順位情報または削減情報を変更する変更手段を更に具備したことを特徴とする撮像装置。
【請求項３】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と
を具備し、
上記削減制御手段は、上記決定手段で決定した削減処理を実行する前に、削減処理の対象となる画像データ及び削減処理の内容の確認を促し、確認がなされた時点で削減処理を実行することを特徴とする撮像装置。
【請求項４】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と
を具備し、
上記削減制御手段は、上記決定手段で上記記録手段以外の媒体への転送を選択した場合に、画像データに付加された属性情報に基づいて転送先の媒体側での保存フォルダを指定することを特徴とする撮像装置。
【請求項５】
被写体像を撮影する撮像手段と、
画像データを記録する記録手段と、
上記撮像手段で得た各々の画像データに対して撮影時の状況に応じた属性情報を付加して上記記録手段に記録する記録制御手段と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、
上記記録手段に記録された複数の画像データに対する削減処理の必要性を判断する判断手段と、
上記判断手段により削減処理が必要であると判断される毎に、上記決定手段で決定した順序に従って上記決定手段で決定した種類の削減処理を施していく削減制御手段と
を具備し、
上記記録制御手段が画像データに付加する属性情報のうちの１つは、記録する画像データの画像中から検出される顔の大きさに関する情報であり、
上記決定手段は、属性情報の１つに画像中から検出される顔の大きさに関する情報を用いて処理対象とする順序を決定することを特徴とする撮像装置。
【請求項６】
上記削減制御手段は、上記決定手段で上記記録手段以外の媒体への転送を選択した場合に、画像データに付加された属性情報中の顔の大きさに関する情報に基づいて転送先の媒体側での保存フォルダを指定することを特徴とする請求項５記載の撮像装置。
【請求項７】
上記決定手段は、画像データに対する少なくとも部分的な削除に関する度合が異なる複数種類の削減処理の中から各画像データに施す削減処理を選択することを特徴とする請求項１乃至６のいずれかに記載の撮像装置。
【請求項８】
上記記録制御手段は、上記撮像手段で得た画像データを撮影時の状況に応じた複数の属性情報を付加して上記記録手段に記録し、
上記決定手段は、上記記録手段に記録された複数の画像データの各々に付加されている複数の属性情報に基づいて、これら複数の画像データに対してデータ量を削減する削減処理を施す順序と、各画像データに施す削減処理の種類の両方を決定する
ことを特徴とする請求項７記載の撮像装置。
【請求項９】
上記複数種類の削減処理は、画像データに対する、圧縮率を変えてのデータ圧縮、画像サイズの変更、空間周波数の高周波成分の除去、画像データ自体の削除、及び上記記録手段以外の媒体への転送のうち、少なくとも２つを含むことを特徴とする請求項８載の撮像装置。
【請求項１０】
上記記録制御手段が画像データに付加する複数の属性情報は、記録する画像データの構成画素数、画質、感度、手振れ量、画像中から検出される顔の大きさのうち、少なくとも２つを含むことを特徴とする請求項９記載の撮像装置。
【請求項１１】
上記決定手段は、上記記録手段以外の媒体への転送の可否を判断し、可であると判断した場合に上記記録手段以外の媒体への転送を削減処理の選択肢の１つに加えることを特徴とする請求項７記載の撮像装置。
【請求項１２】
画像データを取得する取得部と、画像データを記録する記録部とを備えた撮像装置の記録制御方法であって、
上記撮像装置のコンピュータに、
上記取得部で得た各々の画像データに対して撮影時の状況に応じた属性情報が付加された画像データを上記記録部に記録する記録制御工程と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定工程と、
上記記録部に記録された複数の画像データに対する削減処理の必要性を判断する判断工程と、
上記判断工程により削減処理が必要であると判断される毎に、上記決定工程で決定した順序に従って上記決定工程で決定した種類の削減処理を施していく削減制御工程と
を実行させ、
上記決定工程は、上記記録制御工程で画像データに付加する複数の属性情報の１つに上記画像データの感度が含まれる場合に、所定の感度以上の画像データに対して空間周波数の高周波成分の除去を削減処理として選択することを特徴とする記録制御方法。
【請求項１３】
画像データを取得する取得部と、画像データを記録する記録部とを備えた撮像装置が内蔵するコンピュータが実行するプログラムであって、
上記取得部で得た各々の画像データに対して撮影時の状況に応じた属性情報が付加された画像データを上記記録部に記録する記録制御ステップと、
上記記録手段に記録された複数の画像データの各々に付加されている属性情報に基づいて、これら複数の画像データに対してデータ量を削減する削減処理を施す順序と、各画像データに施す削減処理の種類の両方を決定する順序決定ステップと、
上記記録部に記録された複数の画像データに対する削減処理の必要性を判断する判断ステップと、
上記判断ステップにより削減処理が必要であると判断される毎に、上記決定ステップで決定した順序に従って上記決定ステップで決定した種類の削減処理を施していく削減制御ステップと
をコンピュータに実行させ、
上記決定ステップは、上記記録制御ステップで画像データに付加する複数の属性情報の１つに上記画像データの感度が含まれる場合に、所定の感度以上の画像データに対して空間周波数の高周波成分の除去を削減処理として選択することを特徴とするプログラム。
【請求項１４】
画像データを取得する取得部と、画像データを記録する記録部とを備えた撮像装置の記録制御方法であって、
上記撮像装置のコンピュータに、
上記取得部で得た各々の画像データに対して撮影時の状況に応じた属性情報が付加された画像データを上記記録部に記録する記録制御工程と、
上記記録手段に記録された複数の画像データの各々に付加されている属性情報に基づいて、これら複数の画像データに対してデータ量を削減する削減処理を施す順序と、各画像データに施す削減処理の種類の両方を決定する決定工程と、
上記記録部に記録された複数の画像データに対する削減処理の必要性を判断する判断工程と、
上記判断工程により削減処理が必要であると判断される毎に、上記決定工程で決定した順序に従って上記決定工程で決定した種類の削減処理を施していく削減制御工程と
を実行させ、
上記削減制御工程は、上記決定工程で決定した削減処理を実行する前に、削減処理の対象となる画像データ及び削減処理の内容の確認を促し、確認がなされた時点で削減処理を実行することを特徴とする記録制御方法。
【請求項１５】
画像データを取得する取得部と、画像データを記録する記録部とを備えた撮像装置が内蔵するコンピュータが実行するプログラムであって、
上記取得部で得た各々の画像データに対して撮影時の状況に応じた属性情報が付加された画像データを上記記録部に記録する記録制御ステップと、
上記記録手段に記録された複数の画像データの各々に付加されている属性情報に基づいて、これら複数の画像データに対してデータ量を削減する削減処理を施す順序と、各画像データに施す削減処理の種類の両方を決定する順序決定ステップと、
上記記録部に記録された複数の画像データに対する削減処理の必要性を判断する判断ステップと、
上記判断ステップにより削減処理が必要であると判断される毎に、上記決定ステップで決定した順序に従って上記決定ステップで決定した種類の削減処理を施していく削減制御ステップと
をコンピュータに実行させ、
上記削減制御ステップは、上記決定ステップで決定した削減処理を実行する前に、削減処理の対象となる画像データ及び削減処理の内容の確認を促し、確認がなされた時点で削減処理を実行することを特徴とするプログラム。
【発明の詳細な説明】
【技術分野】
【０００１】
本発明は、記録媒体に電子データ化した画像データを記録するデジタルカメラ等に好適な撮像装置、記録制御方法及びプログラムに関する。
【背景技術】
【０００２】
近時、撮影により得た画像の電子データを記録媒体としてのメモリカードに記録するデジタルカメラが広く一般に普及している。この種のデジタルカメラで、画像記録用メモリの空き容量が少なくなった場合に、記録済みの画像データの中で不要なものを自動的に削除して、あらたな撮影画像を記録するためのメモリ領域を確保する技術が考えられていた。（例えば、特許文献１）
また、画像記録用メモリの空き容量が少なくなった場合に、記録済みの画像データの圧縮率を高めて再圧縮を行なうことで、あらたな撮影画像を記録するためのメモリ容量を確保する技術が考えられていた。（例えば、特許文献２）
【特許文献１】特開２００７−０１９８５５号公報
【特許文献２】特開平１０−０５６６１２号公報
【発明の開示】
【発明が解決しようとする課題】
【０００３】
上記特許文献１，２に記載された技術を含め、従来は既に記録されている画像データを削除あるいは圧縮のいずれかの固定化された手段を採ることでメモリの空き容量の増大を図っていた。
【０００４】
その場合、ユーザにとっては貴重と思われる画像データが削除、あるいは画質が劣化した状態で再記録されてしまう可能性も多々あり得る。
【０００５】
本発明は上記のような実情に鑑みてなされたもので、その目的とするところは、ユーザに煩雑な手間を強いることなく、画像記録用のメモリの空き容量を確保するための処理を状況に応じて効率的に実施することが可能な撮像装置、記録制御方法及びプログラムを提供することにある。
【課題を解決するための手段】
【０００６】
本発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段とを具備し、上記決定手段は、上記記録制御手段が画像データに付加する複数の属性情報の１つに上記画像データの感度が含まれる場合に、所定の感度以上の画像データに対して空間周波数の高周波成分の除去を削減処理として選択することを特徴とする。
【０００７】
また、他の態様による発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段と、上記記録制御手段が画像データに属性情報として付加する上記順位情報または削減情報を変更する変更手段とを具備し、上記記録制御手段は、撮影時の状況に応じた複数の属性情報に加えて、上記決定手段で決定する順位を示す順位情報、または削減処理の種類を示す削減情報を属性情報として画像データに付加して記録し、上記記録制御手段が画像データに属性情報として付加する上記順位情報または削減情報を変更する変更手段を更に具備したことを特徴とする。
【０００８】
また、他の態様による発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段とを具備し、上記削減制御手段は、上記決定手段で決定した削減処理を実行する前に、削減処理の対象となる画像データ及び削減処理の内容の確認を促し、確認がなされた時点で削減処理を実行することを特徴とする。
【００１０】
また、他の態様による発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段とを具備し、上記削減制御手段は、上記決定手段で上記記録手段以外の媒体への転送を選択した場合に、画像データに付加された属性情報に基づいて転送先の媒体側での保存フォルダを指定することを特徴とする。
【００１１】
また、他の態様による発明は、被写体像を撮影する撮像手段と、画像データを記録する記録手段と、上記撮像手段で得た各々の画像データに対して撮影時の状況に応じた属性情報を付加して上記記録手段に記録する記録制御手段と、上記記録手段に記録された複数の画像データの各々に付加されている属性情報に基づいて、これら複数の画像データに対してデータ量を削減する削減処理を施す順序と、各画像データに施す削減処理の種類の両方を決定する決定手段と、上記記録手段に記録された複数の画像データに対する削減処理の必要性を判断する判断手段と、上記判断手段により削減処理が必要であると判断される毎に、上記決定手段で決定した順序に従って上記決定手段で決定した種類の削減処理を施していく削減制御手段とを具備し、上記記録制御手段が画像データに付加する属性情報のうちの１つは、記録する画像データの画像中から検出される顔の大きさに関する情報であり、上記決定手段は、属性情報の１つに画像中から検出される顔の大きさに関する情報を用いて処理対象とする順序を決定することを特徴とする。
【発明の効果】
【００２２】
本発明によれば、ユーザに煩雑な手間を強いることなく、画像記録用のメモリの空き容量を確保するための処理を状況に応じて効率的に実施することが可能となる。
【発明を実施するための最良の形態】
【００２３】
以下本発明を静止画像を撮影するデジタルカメラに適用した場合の一実施形態について図面を参照して説明する。  
図１は、本実施形態に係るデジタルカメラ１０の回路構成を示すものである。同図で、レンズ光学系１１により固体撮像素子であるＣＣＤ１２の撮像面上に被写体の光像が結像される。
【００２４】
モニタ状態では、このＣＣＤ１２での撮像により得た画像信号が画像処理部１３に送られ、相関二乗サンプリングや自動ゲイン調整、Ａ／Ｄ変換処理が実行されてデジタル化された後に画素補間処理、γ補正処理を含むカラープロセス処理が施されてバッファメモリ１４に一時的に保持される。
【００２５】
このバッファメモリ１４に保持された画像データが画像処理部１３に読出され、システムバスＳＢを介して表示部１５へ送られ、モニタ画像として表示される。
【００２６】
以上の動作をすべて制御部１６が統括制御する。この制御部１６はＣＰＵで構成され、メインメモリ１７、プログラムメモリ１８と接続される。メインメモリ１７は、ＳＤＲＡＭ（シンクロナスＤＲＡＭ）で構成される。プログラムメモリ１８は、後述する撮影モード時の記録制御を含む動作プログラムや固定データ等を記憶した、電気的に書換可能な不揮発性メモリで構成される。
【００２７】
制御部１６はプログラムメモリ１８から必要なプログラムやデータ等を読出し、メインメモリ１７に適宜一時的に展開記憶させながら、このデジタルカメラ１０全体の制御動作を実行する。
【００２８】
さらに上記制御部１６は、キー入力部１９から直接入力されるキー操作信号に対応して各種制御動作を実行するもので、システムバスＳＢを介して上記画像処理部１３、表示部１５の他、レンズ光学系駆動部２０、フラッシュ駆動部２１、ＣＣＤドライバ２２、メモリカードコントローラ２３、内蔵メモリ２４、ＵＳＢインタフェース（Ｉ／Ｆ）２５、音声処理部２６、及び加速度センサ３３とも接続される。
【００２９】
キー入力部１９は、例えば電源キー、シャッタキー、撮影モードキー、再生モードキー、メニューキー、カーソル（「↑」「→」「↓」「←」）キー、セットキー、シーンプログラムキー、手ブレ補正キー、顔認識機能キー等を備える。
【００３０】
レンズ光学系駆動部２０は、制御部１６からの制御信号を受けてレンズモータ（Ｍ）２７を回動制御し、上記レンズ光学系１１を構成する複数のレンズ中の一部、具体的にはフォーカスレンズ及びズームレンズの位置をそれぞれ光軸方向に沿って移動させる。
【００３１】
フラッシュ駆動部２１は、静止画像撮影時に制御部１６からの制御信号を受けて複数の白色高輝度ＬＥＤで構成されるフラッシュ部２８を撮影タイミングに同期して点灯駆動する。
【００３２】
メモリカードコントローラ２３は、カードコネクタＣを介してメモリカード２９と接続される。メモリカード２９は、このデジタルカメラ１０に着脱自在に装着され、このデジタルカメラ１０の記録媒体となる画像データ等の記録用メモリであり、内部にはブロック単位で電気的に書換え可能な不揮発性メモリであるフラッシュメモリとその駆動回路とが設けられる。
【００３３】
内蔵メモリ２４は、このデジタルカメラ１０に着脱可能なメモリカード２９とは別に固定的に備えられた画像記録用のメモリである。この内蔵メモリ２４は、同じくブロック単位で電気的に書換え可能な不揮発性メモリであるフラッシュメモリとその駆動回路とで構成される。
【００３４】
内蔵メモリ２４は、上記メモリカード２９が装着されていない場合にデジタルカメラ１０の記録媒体として画像データ等を記録するもので、メモリカード２９が装着されている状態ではメモリカード２９を優先的に取扱うものとする。
【００３５】
また、メモリカード２９と内蔵メモリ２４との間で任意に画像データ等のコピー、移動が可能であるものとする。
【００３６】
ＵＳＢインタフェース２５は、ＵＳＢコネクタ３０を介してこのデジタルカメラ１０の外部機器、例えばパーソナルコンピュータと接続する際のデータの送受を司る。
【００３７】
音声処理部２６は、ＰＣＭ音源等の音源回路を備え、音声の録音時にはこのデジタルカメラ１０の筐体前面に配設されたマイクロホン部３１より入力される音声信号をデジタル化し、所定のデータファイル形式、例えばＡＡＣ（ｍｏｖｉｎｇ  ｐｉｃｔｕｒｅ  ｅｘｐｅｒｔｓ  ｇｒｏｕｐ−４  Ａｄｖａｎｃｅｄ  Ａｕｄｉｏ  Ｃｏｄｉｎｇ）形式でデータ圧縮して音声データファイルを作成し、上記メモリカード２９または内蔵メモリ２４へ送出する。
【００３８】
一方、音声処理部２６は、音声の再生時にメモリカード２９または内蔵メモリ２４から読出されてきた音声データファイルの圧縮を解いてアナログ化し、上記デジタルカメラ１０の背面に設けられるスピーカ部３２を駆動して、拡声放音させる。
【００３９】
加速度センサ３３は、３次元加速度センサで構成され、特に撮影時にこのデジタルカメラ１０に生じている３次元方向の加速度を検出して上記制御部１６へ出力する。
【００４０】
なお、上記画像処理部１３は、顔検出処理部３４及び圧縮伸長処理部３５を併設する。  
顔検出処理部３４は、バッファメモリ１４に保持される画像データに対して輪郭抽出及び顔特徴点の抽出を行なって顔グラフを作成することで顔認識を行なうもので、その認識条件に用いる各種データは上記制御部１６から画像処理部１３を介して与えられる。
【００４１】
圧縮伸長処理部３５は、上記キー入力部１９のシャッタキー操作に伴う画像撮影時に、バッファメモリ１４に保持される画像データを所定のデータファイル形式、例えばＪＰＥＧ（Ｊｏｉｎｔ  Ｐｈｏｔｏｇｒａｐｈｉｃ  Ｅｘｐｅｒｔｓ  Ｇｒｏｕｐ）であればＤＣＴ（離散コサイン変換）やハフマン符号化等のデータ圧縮処理を施してデータ量を大幅に削減するもので、作成された画像データファイルを上記キー入力部１９または内蔵メモリ２４に記録する。
【００４２】
また圧縮伸長処理部３５は、再生モード時にメモリカード２９または内蔵メモリ２４から読出されてくる画像データを記録時とは逆の手順で圧縮を解く伸長処理により元のサイズの画像データを得、これをバッファメモリ１４に保持させるもので、バッファメモリ１４に保持された画像データにより表示部１５で再生のための表示が実行される。
【００４３】
次に上記実施形態の動作について説明する。  
図２及び図３は、静止画の撮影モード下で実行される基本的な処理内容を示すもので、その制御動作は制御部１６がプログラムメモリ１８に記憶されている動作プログラムを読出してメインメモリ１７に展開記憶させることで実行される。
【００４４】
撮影モード時には、当初、画像サイズ、画質、ＩＳＯ感度、ホワイトバランス、フラッシュモード等を含む撮影条件を設定する（ステップＳ１０１）。  
上記画像サイズは、画像の横×縦の構成画素数（の積の概算値をＭ（メガ）で表した数値）を示し、予め用意された例えば  
３６４８×２７３６（１０Ｍ），  
３６４８×２４３２（９Ｍ）（アスペクト比３：２），  
３６４８×２０４８（７．５Ｍ）（アスペクト比１６：９），  
３０７２×２３０４（７Ｍ），  
２３０４×１７２８（４Ｍ），  
１６００×１２００（２Ｍ），  
６４０×  ４８０（０．３Ｍ）の選択肢のいずれか１つを設定する。
【００４５】
上記画質は、予め用意された「Ｆｉｎｅ（精細）」「Ｎｏｒｍａｌ（ノーマル）」及び「Ｅｃｏｎｏｍｙ（エコノミ）」の選択肢のいずれか１つを選択するもので、選択結果に応じて画像データの圧縮率を設定する。
【００４６】
上記ＩＳＯ感度は、４００乃至１６００の範囲内で設定するもので、ＩＳＯ感度値が高くなるに従って、画像に含まれるノイズ成分が多くなる。
【００４７】
上記ホワイトバランスは、予め用意された例えばオート、太陽光、曇天、日陰、昼白色蛍光灯、昼光色蛍光灯、電球、及びマニュアルの選択肢のいずれか１つ設定することで、対応する色温度を設定する。
【００４８】
上記フラッシュモードは、予め用意された例えば自動発光、発光禁止、強制発光、ソフト発光、及び赤目軽減の選択肢のいずれか１つ設定することで、対応する発光モードを設定する。
【００４９】
その後、キー入力部１９のシャッタキーが操作されたか否かの判断を繰返すことで、撮影が指示されるのを待機する（ステップＳ１０２）。
【００５０】
そしてシャッタキーが操作されるとステップＳ１０２でそれを判断し、指示の通り上記条件に従って撮影を実行する（ステップＳ１０３）。撮影により得た画像データを画像処理部１３がバッファメモリ１４に保持した上で、設定された画質の圧縮率に従ってデータ圧縮を実行し、メモリカード２９または内蔵メモリ２４に記録する（ステップＳ１０４）。
【００５１】
この際、撮影時の上記加速度センサ３３からの検出信号を手振れ量を示す情報として取得しておく（ステップＳ１０５）。
【００５２】
さらに、バッファメモリ１４に保持している画像データに対して顔検出処理部３４が顔認識処理を行ない、画像中に顔が認識できる人物像が少なくとも１名写っているか否かを判断する（ステップＳ１０６）。
【００５３】
ここで、顔が認識でき、人物が写っていると判断した場合にのみ、認識できた顔の中で最も大きいものの大きさ、具体的には例えば天地方向の顔範囲の画素数から大小のランクを判別する（ステップＳ１０７）。
【００５４】
その後、上記ステップＳ１０７の処理の自己の有無に拘わらず、撮影条件として取得した画像サイズ及び画質と、上記取得した手振れ量、顔の大きさに対応する優先度を、以下に示すプログラムメモリ１８に固定記憶されている各優先度ポイントテーブルを参照して特定する（ステップＳ１０８）。
【００５５】
図４（Ａ）は、各撮影条件に対応する優先度のポイントを示すテーブルの内容を例示するもので、いずれの撮影条件に対しても最大で１０ポイントを付与するものとしている。  
例えば、画像サイズが（横）３６４８（画素）×（縦）２７３６（画素）（１０Ｍ）、画質が「Ｆｉｎｅ（精細）」、ＩＳＯ感度が８００、手振れ量が「なし」、顔の大きさが「小」であれば、各ポイントの和は  
１０＋１０＋３＋１０＋５＝３８  
となる。
【００５６】
獲得ポイントに対する優先度テーブルを図４（Ｂ）に示すように、全６段階中で獲得ポイント「３８」から優先度「３」を特定する。  
こうして優先度の特定が完了すると、特定した優先度の確認表示を表示部１５で行なった上で、その表示に対して変更指示があるかどうかを判断する（ステップＳ１０９，Ｓ１１０）。
【００５７】
ここで表示部１５では、例えば  
「撮影した画像の優先度は「３」です  
メモリの空き容量が足りない場合、  
画像サイズを縮小して記録します  
優先度を  変更しない  変更する」  
（デフォルトで「変更しない」を反転表示）  
のようなガイドメッセージを表示することで、このデジタルカメラ１０のユーザに対して特定した優先度を許可するか、または変更するかの指示を促すもので、当該表示に対して優先度を変更する旨の操作がなされた場合は、さらに表示部１５で優先度を変更する画面に遷移し、ユーザの変更操作を受付けることで優先度の変更処理を実行する（ステップＳ１１１）。この際、ユーザの操作に伴う変更処理により、メモリカード２９または内蔵メモリ２４に記録された画像データに付加された優先度を示すコード情報の内容を書換える。
【００５８】
その後、あらためてその時点で特定されている優先度を示すコード情報をメモリカード２９または内蔵メモリ２４に記録した画像データに関連付けて付加設定する（ステップＳ１１２）。
【００５９】
このとき、ＤＣＦ（Ｄｅｓｉｇｎ  ｒｕｌｅ  ｆｏｒ  Ｃａｍｅｒａ  Ｆｉｌｅ  ｓｙｓｔｅｍ）規格により予め画像データの構成画素数、画質、及びＩＳＯ感度は画像データ中に付加されているので、上記優先度を示すコード情報を、上記手振れ量を示す情報、及び画像中から検出される顔の大きさを示す情報と共にこの画像データの属性情報として付加設定するものとする。
【００６０】
さらに、メモリカード２９または内蔵メモリ２４の空き容量が所定以上、例えばその時点で設定している撮影条件でおよそ１２枚分程度あるか否かにより、充分な空き容量がなく、なんらかの削減処理によりメモリカード２９または内蔵メモリ２４から画像データを削減する必要があるか否かを判断する（ステップＳ１１３）。
【００６１】
ここで、充分な空き容量があり、画像データの削減処理の必要がないと判断した場合には、そのまま次の画像撮影に備えるべく上記ステップＳ１０１からの処理に戻る。
【００６２】
また、上記ステップＳ１１３でメモリカード２９または内蔵メモリ２４に充分な空き容量がなく、メモリカード２９または内蔵メモリ２４から画像データを削減する必要があると判断した場合には、その時点でメモリカード２９または内蔵メモリ２４に記録されてイメージ画像データ中で最も優先度を示すコード情報の値が低いものを１つ選択する（ステップＳ１１４）。  
そして、選択した画像データの優先度に対応する削減処理をプログラムメモリ１８に固定的に記憶されている処理内容テーブルを参照して特定する（ステップＳ１１５）。  
図４（Ｃ）は、上述した如くプログラムメモリ１８に固定的に記憶される処理内容テーブルの内容を示すものである。
【００６３】
図中の「圧縮」とは、その時点でメモリカード２９または内蔵メモリ２４に記録されている画像データの圧縮率を上げて再度データ圧縮を実行した上で記録し直す処理を示す。  
また「サイズ縮小」は、画像サイズ（構成画素数）の縮小処理示す。  
「ノイズ除去」は、画像データのデータ圧縮時の特にＤＣＴ（離散コサイン変換）における空間周波数の高周波成分側を削除するしきい値を段階的に下げることで、画像中のノイズ成分と思われる高周波成分を除去すると共に、圧縮率を高める処理を示す。
【００６４】
ここでは、最も優先度が高い「１」の画像データに対してはなんら削減処理は実行しないものと設定している一方で、比較的優先度の低い「４」「５」の画像データに対しては複数の削減処理を組み合わせて実行するものとしている。そして、最も優先度が低い「６」の画像データに対しては、単にデータ量を部分的に削減するのではなく、その画像データ自体を削除するものと設定している。
【００６５】
こうして処理内容テーブルから読出した処理内容に対し、ユーザに確認を行なう確認モードが予め設定されているか否かを判断する（ステップＳ１１６）。  
ここで、確認モードが予め設定されていると判断した場合は、優先度の最も低いものとして選択した画像データのサムネイル画像を表示部１５に表示した上で（ステップＳ１１７）、併せて、上記特定した削減処理の実行を確認する表示を表示部１５で、例えば優先度「３」の画像データに対して  
「メモリの空き容量が少ないので、
優先度が低いと判断した上の画像の  
画像サイズを縮小してメモリの容量を確保します  
処理を続行してもよいですか？  
よい  他の処理を選択する」  
（デフォルトで「よい」を反転表示）  
のようなガイドメッセージを表示する。
【００６６】
このような表示に対してなんらかの指示操作がなされるのを待機する（ステップＳ１１９）。
【００６７】
指示操作がなされたと判断すると、次いでその操作が他の削減処理への変更を指示するためのものであったか否かを判断する（ステップＳ１２０）。  
ここで、他の削減処理への変更を指示するものであった場合にのみ、削減処理をユーザが任意に他の内容に変更するための設定処理を実行する（ステップＳ１２１）。
【００６８】
その後、あるいは上記ステップＳ１１６でユーザに確認を行なう確認モードが予め設定されていないと判断した場合、その時点で削減処理の対しようとして選択している画像データを特定した削減処理を実行する（ステップＳ１２２）。
【００６９】
こうしてメモリカード２９または内蔵メモリ２４の空き容量を増加させる、画像データの削減処理を実行した後、再度上記ステップＳ１１３からの処理に戻り、続く撮影に備えて充分な空き容量を確保することができたか否かを判断する。
【００７０】
充分な空き容量を確保することができた場合には、ステップＳ１１３から上記ステップＳ１０１に戻って次の撮影動作に備える。  
一方、まだ充分な空き容量を確保するまでには至っていないと判断した場合には、再び上記ステップＳ１１４以降の処理を続行する。
【００７１】
こうして上記ステップＳ１１３乃至Ｓ１２２の処理を必要な回数だけ繰返して実行することにより、メモリカード２９または内蔵メモリ２４で充分な空き容量を確保することができたと判断すると、再び上記ステップＳ１０１からの処理に戻って次の撮影動作に備える。
【００７２】
この場合、既に削減処理の対象となった画像データについては２回目以降の削除処理の対象から除外するようにしてもよい。また、すでに削減処理の対象となった画像データであっても削減処理の対象となった回数が所定回数以内であれば連続して削減処理の対象となることを可能にしてもよい。
【００７３】
また、上記実施の形態では、撮影によって新たな画像データを取得したタイミングで、内蔵メモリ２４の空き容量を調べ、十分な空き容量がなかった場合にデータ量の削減処理を行っているが、内蔵メモリ２４の空き容量を調べるタイミングやデータ量の削減処理を行うタイミングはこれに限られるものではなく、例えば、電源をＯＮしたタイミングや一定時間毎に行なうようにしてもよく、内蔵メモリ２４の空き容量を調べるタイミングとデータ量の削減処理を行なうタイミングをずらしてもよい。
【００７４】
このように本実施形態によれば、デジタルカメラ１０のユーザに煩雑な手間を強いることなく、メモリカード２９または内蔵メモリ２４の空き容量を確保し、次の撮影に備えるための処理を、状況に応じて効率的に実施することが可能となる。
【００７５】
なお、上記実施形態では、図４（Ｃ）でも示したように、比較的優先度が低いと判断した画像データに対し、例えばノイズ除去とデータ圧縮（優先度「４」の場合）、データ圧縮とサイズ縮小とノイズ除去（優先度「５」の場合）のように、少なくとも部分的な削除に関する度合が異なる複数の削減処理を組み合わせて実行するものとした。
【００７６】
これにより、削除するほどではないが、優先度が低い画像データに対してのデータ削減処理を効率的に実行することができ、記録媒体であるメモリカード２９または内蔵メモリ２４の空き容量をより迅速に確保することができる。
【００７７】
この点で特に、上記実施形態では、メモリカード２９または内蔵メモリ２４の空き容量を確保するための記録済みの画像データに対する具体的な削減処理として、圧縮率をさらに上げてのデータ圧縮、画像サイズの縮小、及びノイズ除去のための空間周波数の高周波成分の除去を組合わせて選択するものとしたので、いずれも通常の画像の撮影や再生に用いる技術を用いて実現することができる。
【００７８】
また上記実施形態では、撮影による画像データの記録に際し、画像データに付加する属性情報として、画像データの構成画素数、画質、ＩＳＯ感度、手振れ量、画像中から検出される顔の大きさを併せて記録するものとし、それらの属性情報を複数組み合わせて優先度を決定し、削減処理を行なう対象を選択するものとした。
【００７９】
これにより、ユーザによっての優先度をより多くの要因をもって客観的に評価することで、ユーザにとって優先度が高いと思われる画像データを削減処理により部分的にでも損なってしまう可能性を極力回避することができる。
【００８０】
さらに上記実施形態では、撮影による画像データの記録に際し、画像データに付加する属性情報として、画像データの構成画素数、画質、ＩＳＯ感度、手振れ量、画像中から検出される顔の大きさを併せて記録するものとし、それらの属性情報に基づいて複数種類の削減処理から実行するものを特定することにした。
【００８１】
これにより、その画像データの内容により適していると思われる削減処理を実行することができる。
【００８２】
また、上記実施形態では、優先度を示す情報を画像データに付加して記録するものとしたので、当該画像データをこのデジタルカメラ１０内部で処理する場合のみならず、他のデジタルカメラやパーソナルコンピュータ等の外部機器に転送した場合にもその転送先で同様の削減処理を実施することができる。
【００８３】
この点で、一旦画像データに付加して記録された優先度を示すコード情報をユーザが任意に変更設定した場合、変更設定後の優先度を示すコード情報をあらためて画像データに付加して更新記録するものとしたので、一律にデジタルカメラ１０が設定するのではなく、ユーザの意図をも反映した優先度での削減処理を実行することができる。
【００８４】
さらに、上記実施形態では、記録されている画像データの削減処理に先立って、対象となる画像データの内容と削減処理の内容とを表示部１５で表示した上で、ユーザの確認をとってから削減処理を実行するものとしたので、ユーザが意図しない削減処理を実行することで、ユーザが保存したいと思っている画像データを部分的にでも損なってしまう可能性を極力回避することができる。
【００８５】
また上記実施形態では、画像データに付加する属性情報として、特に画像中から検出される顔の大きさを併せて記録するものとした。
【００８６】
これにより、特にユーザによっての優先度を判断する上で重要と思われる、被写体の顔の大きさという要因を考慮して後の削減処理を行なうことで、ユーザにとって優先度が高いと思われる画像データを削減処理により部分的にでも損なってしまう可能性を極力回避できる。
【００８７】
（同実施形態の動作の第１の変形例）  
次に上記実施形態の動作の第１の変形例について説明する。  
上記実施形態の動作では、撮影した画像データの撮影条件を示す個々の要因をそれぞれ優先度のポイントに換算し、それらの合計による獲得ポイントに応じて優先度や削減処理の内容を決定するものとしたので、個々の要因のポイントが高ければ結果として優先度も高くなり、どの画像データから順序立ててどのような削減処理を行なうのかをユーザが理解し易いというメリットがある。
【００８８】
しかしながら、その反面で、複数の要因が特定の組合せである場合にだけ優先度を変更するといった、非線形な優先度の算出には対応することができず、一律な削減処理の決定方法とは別の基準で削減処理を求めたい場合には不向きであった。
【００８９】
したがって、本実施形態の動作の第１の変形例ではそのような場合にも対処し、複数の要因の組合せ毎に撮影記録状態を分類し、各分類毎に任意の優先度や削減処理の内容を対応付けるためのテーブルを設けるものとする。
【００９０】
図５（Ａ）は、上記図４（Ａ）に代えて使用する撮影記録状態の分類テーブルを例示するものである。  
すなわち図５（Ａ）では、画像サイズ、画質（圧縮率）、ＩＳＯ感度、手振れ量、画像中の人物の顔の大きさ、‥‥等の要因に対応し、撮影記録状態の分類として「Ａ」‥‥「Ｄ」‥‥「Ｇ」‥‥のランクを設定する状態を示している。
【００９１】
ここで「Ａ」‥‥「Ｄ」‥‥「Ｇ」‥‥のランクは、単に優先度の序列を示すものではなく、画像データの内容に基づいて適正な処理を行なうものとして予め設定される。
【００９２】
そして、この撮影記録状態の分類のランク「Ａ」‥‥「Ｄ」‥‥「Ｇ」‥‥に対し、そのうちで最も高かった値を用いて、図５（Ｂ）に示すような優先度判定テーブルにより優先度「１」‥‥「４」‥‥「７」‥‥を決定するものとする。
【００９３】
上記図５（Ａ）に例示する如く、画像サイズと画質（圧縮率）に関してはいずれか少なくとも一方の内容でより高いものをその分類のランクとする。
【００９４】
これに対して、ＩＳＯ感度に関しては、その内容単独で分類のランクとしていると共に、上記決定した優先度の決定に加えて、所定以上、例えば「高」、具体的には８００以上であれば、削減処理としてノイズ成分の除去として空間周波数の高周波成分の除去を優先的に選択するものとする。
【００９５】
このように、ＣＣＤ１２の撮影感度特性を考慮した上で、ＩＳＯ感度が所定の値以上であれば、ノイズ成分の除去、すなわち空間周波数の高周波成分の除去を削減処理として優先的に選択することにより、明らかにノイズ成分が多いと思われる画像データに対して適正、且つ効果的にデータ量の削減を図ることができる。
【００９６】
（同実施形態の動作の第２の変形例）  
次に上記実施形態の動作の第２の変形例について説明する。  
上記実施形態の動作では、メモリカード２９または内蔵メモリ２４に記録した画像データに対する削減処理として、デジタルカメラ１０内部での処理を実行する場合についてのみ説明したが、上述した如くデジタルカメラ１０はＵＳＢコネクタ３０とＵＳＢインタフェース２５とを備えており、例えばパーソナルコンピュータなどの外部機器を接続可能であるものとして説明した。
【００９７】
したがって、削減処理を行なうにあたっては、まず外部機器への画像データの転送が可能であるか否かを判断し、転送が可能であると判断した場合には優先度の低い画像データを転送処理した後に、デジタルカメラ１０側のメモリカード２９または内蔵メモリ２４に記録した元のデータを必要に応じて削除あるいはデータ圧縮するものとしてもよい。
【００９８】
図６は、上記図４、図５に代えて使用する撮影記録状態の分類と削減処理の内容との対応を示すテーブルである。すなわち、上記ステップＳ１２２での削減処理の実行時に、ＵＳＢコネクタ３０を介して外部機器と接続しており、且つメモリカード２９または内蔵メモリ２４に記録した画像データを当該外部機器に転送して記録させることが可能であるか否かを判断することで、その判断結果によって「外部機器への転送ができない場合」「外部機器への転送が可能な場合」のいずれかの処理を選択的に実行する。
【００９９】
この場合、上記第１の変形例の場合と同じく、単に優先度の序列を示すものではなく、画像データの内容に基づいて適正な処理を行なうための分類のランク「Ａ」‥‥「Ｄ」‥‥「Ｇ」‥‥に合わせて、転送先の外部機器のフォルダを指定するものとしてもよい。
【０１００】
図７は、このデジタルカメラ１０のメモリカード２９または内蔵メモリ２４にＤＣＦ規格で設定された「１００ＡＢＣＤＥ」フォルダに記録されている画像データを、外部機器であるパーソナルコンピュータＰＣ側のフォルダに転送する場合のフィルタ後を例示するものである。
【０１０１】
デジタルカメラ１０側で全ての撮影画像が最初に記録される画像フォルダが「１００ＡＢＣＤＥ（ＡＢＣＤＥ）」（「ＡＢＣＤＥ」はメーカ名を示す）であり、この「１００ＡＢＣＤＥ（ＡＢＣＤＥ）」フォルダに記録された画像データをパーソナルコンピュータＰＣ側に転送する場合、例えばこのデジタルカメラ１０用のソフトウェアにより転送対象の画像データのタイムスタンプに対応したフォルダ名「2007年01月24日」の画像フォルダが自動的に作成され、転送されてきた画像データが当該フォルダに格納されるものとする。
【０１０２】
さらに上記図６での分類ランク「Ｄ」に該当する画像データを転送する場合には、画像フォルダ「2007年01月24日」の下層にあらたな画像フォルダ「人物」を作成して格納させるものとする。具体的に上記分類ランク「Ｄ」は、画像中に顔を認識した画像データに対して付与するものであり、上記画像フォルダ「人物」に格納することで、なんらかの人物等を撮影した画像データを格納する画像フォルダとしてユーザが理解し易い。
【０１０３】
また、同図に示す如く上記画像フォルダ「2007年01月24日」と同層に並列してフォルダ名「風景」の画像フォルダを設けるものとする。この画像フォルダ「風景」には、例えば優先度の設定によりデジタルカメラ１０側で画像サイズの縮小を行なった画像データの、サイズ縮小前のオリジナルコピーデータを格納するものとする。
【０１０４】
このように、外部機器への転送が可能である場合には、データ圧縮矢削除等によって部分的にでも損なわれてしまう画像データを事前に外部機器に対して転送しておくことにより、このデジタルカメラ１０側に記録する画像データに対する削減処理を実行したとしても、その削除対象となった画像データを一切の劣化のない状態で確保しておくことができる。
【０１０５】
その場合、転送先の装置では、画像データに付加した属性データに応じた保存用のフォルダを作成して指定することにより、例えば顔を認識できた画像を「人物」用のフォルダに記録させ、顔を認識できずにデジタルカメラ１０側で画像サイズを縮小した画像を「風景」用のフォルダに記録するなど、転送先の画像データの位置がユーザにとって理解しやすく、使い勝手をより向上することができる。
【０１０６】
また、上記動作例では、画像データを転送する外部機器としてパーソナルコンピュータを挙げて説明したが、このデジタルカメラ１０がインターネットなどのネットワーク接続環境にある場合には、事前に設定したネットワーク上のサーバに用意される画像データ記録用のエリアに転送することも同様に可能である。
【０１０７】
なお、上記実施形態のいずれの動作例においても、デジタルカメラ１０内のメモリカード２９または内蔵メモリ２４に記録された画像データを削減処理として完全に削除する場合には、削除した画像データの復元が困難であることから、ユーザの任意指定により削除以外の削減処理へと変更可能としてもよい。
【０１０８】
図８はそのような場合の表示部１５での表示例を示すもので、ここではファイル名「１００−０３３５」の画像の優先度が低く、削減処理として削除を行なう直前の状態を示している。
【０１０９】
このとき図中に示す選択肢「削除する」「優先度を上げる」「キャンセル」の中から「優先度を上げる」を選択して指定した場合、当該画像の優先度を示すスケールが表示され、キー入力部１９のカーソルキー「↑」の操作回数により任意の優先度への変更設定が可能であるものとする。
【０１１０】
こうして削除対象画像に対する優先度の変更を行った場合、次に優先度の低い他の画像データがあらためて削除対象として選択されることになる。
【０１１１】
なお、上記実施形態は、本発明をデジタルカメラに適用した場合について説明したものであるが、本発明はこれに限らず、静止画像の撮影が可能なビデオムービーカメラや、カメラ機能を有する携帯電話端末やＰＮＤ（Ｐｅｒｓｏｎａｌ  Ｎａｖｉｇａｔｉｏｎ  Ｄｅｖｉｃｅ：簡易ナビゲーション装置）、携帯音楽プレーヤ等の小型電子機器にも適用することが可能である。
【０１１２】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【０１１３】
【図１】本発明の一実施形態に係るデジタルカメラを構成する電子回路の機能構成を示すブロック図。
【図２】同実施形態に係る撮影モード時の撮影と画像データの記録に関する処理内容を示すフローチャート。
【図３】同実施形態に係る撮影モード時の撮影と画像データの記録に関する処理内容を示すフローチャート。
【図４】同実施形態に係る撮影モード時に使用する優先度ポイントテーブル、獲得ポイントに対する優先度テーブル、及び削減処理内容テーブルを例示する図。
【図５】同実施形態に係る動作の第１の変形例で使用する撮影記録状態の分類テーブルと優先度判定テーブルを例示する図。
【図６】同実施形態に係る動作の第２の変形例で使用する撮影記録状態の分類テーブルを例示する図。
【図７】同実施形態に係るデジタルカメラ１０と外部機器であるパーソナルコンピュータの画素フォルダの構成を例示する図。
【図８】同実施形態に係る画像データ削除時の画面例を示す図。
【符号の説明】
【０１１４】
１０…デジタルカメラ、１１…レンズ光学系、１２…ＣＣＤ、１３…画像処理部、１４…バッファメモリ、１５…表示部、１６…制御部、１７…メインメモリ、１８…プログラムメモリ、１９…キー入力部、２０…レンズ光学系駆動部、２１…フラッシュ駆動部、２２…ＣＣＤドライバ、２３…メモリカードコントローラ、２４…内蔵メモリ、２５…ＵＳＢインタフェース（Ｉ／Ｆ）、２６…音声処理部、２７…レンズモータ（Ｍ）、２８…フラッシュ部、２９…メモリカード、３０…ＵＳＢコネクタ、３１…マイクロホン部、３２…スピーカ部、３３…加速度センサ、３４…顔検出処理部、３５…圧縮伸長処理部、Ｃ…カードコネクタ、ＰＣ…パーソナルコンピュータ、ＳＢ…システムバス。
【図１】
0005067213.tif 000002
【図２】
0005067213.tif 000003
【図３】
0005067213.tif 000004
【図４】
0005067213.tif 000005
【図５】
0005067213.tif 000006
【図６】
0005067213.tif 000007
【図７】
0005067213.tif 000008
【図８】
0005067213.tif 000009